(57)【要約】【課題】  光ドロップケーブルをドロップクロージャから簡単かつ円滑に引き出し、作業効率を向上させる。【解決手段】  光ドロップケーブル１２を、巻付けバー１４ａ，１４ｂ，１４ｃ，１４ｄに、巻付けバー１４ｂ，１４ｃの中間部位１８で交差するように、襷掛け状（８の字状）に巻き付けて収納する。これにより、引出し時には、収納された光ドロップケーブル１２の下流側端部を、外方に引っ張るのみで、例えば、コイル状の変形を伴うことなく、巻取りが自然に解けて、光ドロップケーブル１２を、簡単かつ円滑に引き出すことができる。【選択図】  図２
2010256507.tif 000002
【特許請求の範囲】
【請求項１】
ケーブルを収納容器内に引出可能に収納するためのケーブル収納構造であって、
前記収納容器には、前記ケーブルを巻き付けるための第１の巻付け部と第２の巻付け部とが設けられ、前記ケーブルは、該ケーブルの上流側から下流側へ向かう順方向が、第１の周回方向となるように、前記第１の巻付け部に巻き付けられ、かつ、前記順方向が、前記第１の周回方向と反対の第２の周回方向となるように、前記第２の巻付け部に巻き付けられるとともに、前記順方向に沿って、前記第１の巻付け部に単数回巻き付けられた後、前記第２の巻付け部に単数回巻き付けられ、又は／及び前記第２の巻付け部に単数回巻き付けられた後、前記第１の巻付け部に単数回巻き付けられている
ことを特徴とするケーブル収納構造。
【請求項２】
前記第１の巻付け部及び前記第２の巻付け部は、ともに前記収納容器の載置部に、折り畳まれて伏臥可能なように設けられていることを特徴とする請求項１に記載のケーブル収納構造。
【請求項３】
ケーブルを収納容器内に引出可能に収納するためのケーブル収納構造であって、
前記収納容器には、前記ケーブルを巻き取るための巻取り部が設けられ、前記巻取り部は、屈曲された前記ケーブルの屈曲部が保持される保持部と、屈曲されて二重とされた前記ケーブルが巻き取られる周縁部とを有し、前記ケーブルは、前記屈曲部が前記保持部に保持された状態で前記巻取り部が回転することによって二重とされて前記周縁部に巻き取られている
ことを特徴とするケーブル収納構造。
【請求項４】
積層された複数の前記収納容器に、前記ケーブルが収納されていることを特徴とする請求項１、２又は３に記載のケーブル収納構造。
【発明の詳細な説明】
【技術分野】
【０００１】
この発明は、例えば、光ドロップケーブルの余長部分を、引落し用のドロップクロージャに収納するためのケーブル収納構造に関する。
【背景技術】
【０００２】
従来より、光ファイバを加入者の建物に配線するＦＴＴＨ（Ｆｉｂｅｒ  Ｔｏ  Ｔｈｅ  Ｈｏｍｅ）では、例えば、電柱間の架空に敷設された多心光ファイバケーブルから、引落し用のドロップクロージャ内で、所望の心数（例えば、１心又は２心）の光ドロップケーブルに接続して光ファイバを分配している（例えば、特許文献１、特許文献２、特許文献３参照。）。例えば、道路整備で、光ドロップケーブルが共架された電柱が移設されたときは、これに伴って光ドロップケーブルも移設される。光ドロップケーブルが余長を有していない場合には、張替えが必要となり、材料費や工費が嵩んでしまう。このため、ドロップクロージャから光ドロップケーブルを引き出す際に光ドロップケーブルの余長が必要となる場合には、引き出した光ドロップケーブル毎に、ドロップクロージャの下方に、余長を配置している。
【０００３】
しかしながら、光ドロップケーブルは、通常のケーブルに比べて、構造上外部要因による影響を受け易く、例えば、台風襲来時の強風による飛散物により損傷を受ける。また、光ドロップケーブル毎にその余長はばらばらで美観を損ねている。このため、例えば、光ドロップケーブルの余長部分を巻き取って、ドロップクロージャ内に収納する技術が提案されている（例えば、特許文献１、特許文献３参照。）。
【先行技術文献】
【特許文献】
【０００４】
【特許文献１】特開平７−９２３３２号公報
【特許文献２】特開２００５−１０７０１４号公報
【特許文献３】特開２００６−１９５４９８号公報
【発明の概要】
【発明が解決しようとする課題】
【０００５】
しかしながら、上記従来技術においては、ドロップクロージャから光ドロップケーブルの余長部分を引き出す際に、このまま光ドロップケーブルを引っ張ると、光ドロップケーブルは、伸びたコイル状に変形してしまう。このため、巻取りを解く際に、光ドロップケーブルがねじれないように（「より」が発生しないように）整形しながら引き出さなければならないので、手間と時間がかかってしまうという問題がある。また、仮に、光ドロップケーブルを誤って強く引っ張ってしまうと、ねじれた状態（「より」が発生した状態）で光ドロップケーブルに無理な力が加わることとなり、光ドロップケーブルを損傷させてしまう。
【０００６】
この発明は、前記の課題を解決し、光ドロップケーブルをドロップクロージャ（収納容器）から簡単かつ円滑に引き出すことができ、作業効率を向上させることができるケーブル収納構造を提供することを目的としている。
【課題を解決するための手段】
【０００７】
前記の課題を解決するために、請求項１の発明は、ケーブルを収納容器内に引出可能に収納するためのケーブル収納構造であって、前記収納容器には、前記ケーブルを巻き付けるための第１の巻付け部と第２の巻付け部とが設けられ、前記ケーブルは、該ケーブルの上流側から下流側へ向かう順方向が、第１の周回方向となるように、前記第１の巻付け部に巻き付けられ、かつ、前記順方向が、前記第１の周回方向と反対の第２の周回方向となるように、前記第２の巻付け部に巻き付けられるとともに、前記順方向に沿って、前記第１の巻付け部に単数回巻き付けられた後、前記第２の巻付け部に単数回巻き付けられ、又は／及び前記第２の巻付け部に単数回巻き付けられた後、前記第１の巻付け部に単数回巻き付けられていることを特徴としている。
【０００８】
請求項１の発明では、ケーブルは、上流側から下流側へ向かう順方向が、第１の周回方向となるように、第１の巻付け部に巻き付けられ、かつ、順方向が、第１の周回方向と反対の第２の周回方向となるように、第２の巻付け部に巻き付けられるとともに、順方向に沿って、第１の巻付け部に単数回巻き付けられた後、第２の巻付け部に単数回巻き付けられ、又は／及び第２の巻付け部に単数回巻き付けられた後、第１の巻付け部に単数回巻き付けられている。
【０００９】
請求項２の発明は、請求項１に記載のケーブル収納構造であって、前記第１の巻付け部及び前記第２の巻付け部は、ともに前記収納容器の載置部に、折り畳まれて伏臥可能なように設けられていることを特徴としている。
【００１０】
請求項３の発明は、ケーブルを収納容器内に引出可能に収納するためのケーブル収納構造であって、前記収納容器には、前記ケーブルを巻き取るための巻取り部が設けられ、前記巻取り部は、屈曲された前記ケーブルの屈曲部が保持される保持部と、屈曲されて二重とされた前記ケーブルが巻き取られる周縁部とを有し、前記ケーブルは、前記屈曲部が前記保持部に保持された状態で前記巻取り部が回転することによって二重とされて前記周縁部に巻き取られていることを特徴としている。
【００１１】
請求項３の発明では、ケーブルは、屈曲部が保持部に保持された状態で巻取り部が回転することによって二重とされて周縁部に巻き付けられている。
【００１２】
請求項４の発明は、請求項１、２又は３に記載のケーブル収納構造に係り、積層された複数の前記収納容器に、前記ケーブルが収納されていることを特徴とことを特徴としている。
【発明の効果】
【００１３】
請求項１の発明によれば、ケーブルは、順方向が、第１の周回方向となるように、第１の巻付け部に巻き付けられ、かつ、第１の周回方向と反対の第２の周回方向となるように、第２の巻付け部に巻き付けられるとともに、順方向に沿って、第１の巻付け部に単数回巻き付けられた後、第２の巻付け部に単数回巻き付けられ、又は／及び第２の巻付け部に単数回巻き付けられた後、第１の巻付け部に単数回巻き付けられているので、ケーブルを収納容器から簡単かつ円滑に引き出すことができ、作業効率を向上させることができることができる。
【００１４】
請求項２の発明によれば、第１の巻付け部及び第２の巻付け部は、ともに収納容器の載置部に、折り畳まれて伏臥可能なように設けられているので、一段と円滑にケーブルを引き出すことができる。
【００１５】
請求項３の発明によれば、収納容器には、ケーブルを巻き付けるための巻取り部が設けられ、巻取り部は、屈曲されたケーブルの屈曲部が保持される保持部と、屈曲されて二重とされたケーブルを巻き付ける周縁部とを有し、ケーブルは、屈曲部が保持部に保持された状態で巻取り部が回転することによって二重とされて周縁部に巻き取られているので、ケーブルを収納容器から簡単かつ円滑に引き出すことができ、作業効率を向上させることができることができる。
【００１６】
請求項４の発明によれば、積層された複数の収納容器に、ケーブルが収納されているので、ケーブルの長さに関わらず、ケーブルを収納容器にコンパクトに収納することができる。
【図面の簡単な説明】
【００１７】
【図１】この発明の実施の形態１によるドロップクロージャの構成を説明するための説明図である。
【図２】同ドロップクロージャの余長収納部の構成を模式的に示す平面図である。
【図３】同ドロップクロージャの構成を模式的に示す図であって、同余長収納部が開放された様子を側方から見た図である。
【図４】同ドロップクロージャの構成を模式的に示す図であって、同余長収納部が開放された様子を正面側から見た図である。る。
【図５】同余長収納部の構成を模式的に示す断面図である。
【図６】同余長収納部の構成及び機能を説明するための断面図である。
【図７】この発明の実施の形態２によるドロップクロージャの余長収納部の構成を模式的に示す断面図である。
【図８】同余長収納部の構成を模式的に示す断面図である。
【図９】この発明の実施の形態１の変形例によるドロップクロージャの余長収納部の構成を模式的に示す平面図である。
【図１０】この発明の実施の形態１の別の変形例によるドロップクロージャの余長収納部の構成を模式的に示す平面図である。
【図１１】同余長収納部の構成を模式的に示す断面図である。
【図１２】同余長収納部の構成及び機能を説明するための断面図である。
【図１３】この発明の実施の形態１のさらに別の変形例によるドロップクロージャの余長収納部の構成及び機能を説明するための断面図である。
【発明を実施するための形態】
【００１８】
次に、この発明の実施の形態について、図面を用いて詳しく説明する。
【００１９】
（実施の形態１）
図１は、この発明の実施の形態１によるドロップクロージャの構成を説明するための説明図、図２は、同ドロップクロージャの余長収納部の構成を模式的に示す平面図、図３は、同ドロップクロージャの構成を模式的に示す図であって、同余長収納部が開放された様子を側方から見た図、図４は、同ドロップクロージャの構成を模式的に示す図であって、同余長収納部が開放された様子を正面側から見た図、図５は、同余長収納部の構成を模式的に示す断面図、図６は、同余長収納部の構成及び機能を説明するための断面図である。
【００２０】
図１、図３及び図４に示すように、ドロップクロージャ１は、融着部２と、複数のトレイ状の余長収納部３，４，５とが、外枠体６に収納され、吊架線８に吊架されて概略構成９されている。融着部２では、融着接続箇所９で光ファイバケーブル１１と、光ドロップケーブル１２とが接続されている。
【００２１】
余長収納部３は、図２、図３及び図５に示すように、ヒンジ部２１ａを介して開閉自在に融着部２に取り付けられ、光ドロップケーブル１２の余長部分が収納される。余長収納部４，５は、光ドロップケーブル１２の余長により必要に応じて用いられる。余長収納部３の載置部（底面部）には光ドロップケーブル１２を襷掛け状（８の字状）に配置されるように巻き付けるための板状の巻付けバー１４ａ（１４ｂ，１４ｃ，１４ｄ）と、巻付けバー１４ａ（１４ｂ，１４ｃ，１４ｄ）をそれぞれ支持する断面菱形形状の折畳可能なバー支持部材１５ａ（１５ｂ，１５ｃ，１５ｄ）とが一体化されて設けられている。
【００２２】
この実施の形態では、光ドロップケーブル１２は、固定具１３ａによって固定される導入部位から余長収納部３に引き込まれ、上流側から下流側へ至る順方向に沿って、巻付けバー１４ａ，１４ｂの周りに、図２において反時計回りに１回周回するように、巻き付けられ、巻付けバー１４ｂ，１４ｃの中間部位１８に変曲点が形成されるように湾曲し、巻付けバー１４ｃ，１４ｄの周りに、時計回りに１回周回するように、巻き付けられ、中間部位１８に変曲点が形成されるように、かつこの中間部位１８で交差するように湾曲し、固定具１３ｂによって固定される引出部位から外部へ引き出されるように、余長収納部３の載置部上に配置される。
【００２３】
バー支持部材１５ａ（１５ｂ，１５ｃ，１５ｄ）の内部に、図５に示すように、角柱状の固定部材２２ａ（２２ｂ，２２ｃ，２２ｄ）を挿通することによって、巻付けバー１４ａ（１４ｂ，１４ｃ，１４ｄ）は、起立状態で固定され、光ドロップケーブル１２の巻付けが可能となる。また、図６に示すように、角柱状の固定部材２２ａ（２２ｂ，２２ｃ，２２ｄ）を抜き取って、バー支持部材１５ａ（１５ｂ，１５ｃ，１５ｄ）を折り畳み、巻付けバー１４ａ（１４ｂ，１４ｃ，１４ｄ）が倒立され、伏臥状態とされることによって、光ドロップケーブル１２の引出しが可能となる。
【００２４】
余長収納部３に引き込まれた光ドロップケーブル１２は、余長収納部３の所定の側面部において、余長部分の上流側端部及び下流側端部が、それぞれ、固定具１３ａ，１３ｂによって固定される。また、光ドロップケーブル１２は、交差部を含む３箇所で、紐状部材１６ａ，１６ｂ，１６ｃを用いて、余長収納部３の載置部に固定され、開放時の脱落が防止される。なお、余長収納部４，５は、余長収納部３と概略同一の構成とされ、余長収納部４は、ヒンジ部２１ｂを介して余長収納部３に、余長収納部５は、ヒンジ部２１ｃを介して余長収納部４に、それぞれ開閉自在に取り付けられている。
【００２５】
この実施の形態のケーブル収納構造１７は、図２に示すように、光ドロップケーブル１２が、巻付けバー１４ｂ，１４ｃの中間部位１８で交差するように、襷掛け状に（８の字状に）、巻付けバー１４ａ，１４ｂ，１４ｃ，１４ｄに巻き付けられて、余長収納部３の載置部上に配置されて概略構成されている。ここで、光ドロップケーブル１２は、中間部位１８では、Ｓ字状部が、重なることとなる。
【００２６】
次に、図２乃至図６を参照して、光ドロップケーブルの収納方法について説明する。融着後、融着部２から引き出された光ドロップケーブル１２は、図３及び図４に示すように、開放状態で、余長収納部３内に引き込まれる。次に、引き込んだ光ドロップケーブル１２の余長部分の上流側端部を固定具１３ａを用いて固定する。次に、バー支持具１５ａ（１５ｂ，１５ｃ，１５ｄ）内部に、図５に示すように、固定部材２２ａ（２２ｂ，２２ｃ，２２ｄ）を挿通して、巻付けバー１４ａ（１４ｂ，１４ｃ，１４ｄ）を、起立状態で固定する。次に、光ドロップケーブル１２を、巻付けバー１４ａ，１４ｂ，１４ｃ，１４ｄに、巻付けバー１４ｂ，１４ｃの中間部位１８で交差するように、襷掛け状（８の字状）に巻き付ける。
【００２７】
すなわち、上記順方向に沿って、巻付けバー１４ａ，１４ｂの周りに、図２において反時計回りに１回周回するように、巻き付け、巻付けバー１４ｂ，１４ｃの中間部位１８に変曲点が形成されるように湾曲させ、巻付けバー１４ｃ，１４ｄの周りに、時計回りに１回周回するように、巻き付けれ、中間部位１８に変曲点が形成されるように、かつこの中間部位１８で交差するように湾曲させて配置する。
【００２８】
次に、光ドロップケーブル１２を、外部に出し、余長部分の下流側端部を固定具１３ｂを用いて固定する。次に、光ドロップケーブル１２を、中間部位１８の交差箇所を含む３箇所で、紐状部材１６ａ，１６ｂ，１６ｃを用いて、余長収納部３の載置部に固定する。次に、余長収納部３，４，５を閉じる。
【００２９】
次に、光ドロップケーブル１２の引出方法について述べる。図３及び図４に示すように、余長収納部３，４，５を開放状態とする。次に、図６に示すように、固定部材２２ａ，２２ｂ，２２ｃ，２２ｄを抜き取って、バー支持部材１５ａ，１５ｂ，１５ｃ，１５ｄを折り畳み、巻付けバー１４ａ，１４ｂ，１４ｃ，１４ｄを倒立させ、伏臥状態とする。次に、固定具１３ｂを取り外し、紐状部材１６ａ，１６ｂ，１６ｃを取り外し、光ドロップケーブル１２を引き出す。この際、収納された光ドロップケーブル１２の余長部分の下流側端部を、外方に（下流側端部の湾曲部位の曲率中心から遠ざかる向きに）引っ張る。
【００３０】
こうして、この実施の形態の構成によれば、光ドロップケーブル１２を、巻付けバー１４ａ，１４ｂ，１４ｃ，１４ｄに、巻付けバー１４ｂ，１４ｃの中間部位１８で交差するように、襷掛け状（８の字状）に巻き付けて収納するので、収納された光ドロップケーブル１２の下流側端部を、外方に引っ張るのみで、コイル状の変形等を伴うことなく、巻取りが自然に解けて、光ドロップケーブル１２を、簡単かつ円滑に引き出すことができる。したがって、誰でも迅速に作業を行い、作業効率を向上させることができる。さらに、例えば、光ドロップケーブルを誤って強く引っ張ってしまい、ねじれた状態（「より」が発生した状態）で光ドロップケーブルに無理な力を加えて、光ドロップケーブルを損傷させることもない。また、光ドロップケーブルを余長収納部内に美麗に収納することができる。
【００３１】
（実施の形態２）
図７は、この発明の実施の形態２によるドロップクロージャの余長収納部の構成を模式的に示す断面図、図８は、同余長収納部の構成を模式的に示す断面図である。この実施の形態の構成が上述した実施の形態１の構成と大きく異なるところは、光ドロップケーブルを８の字状に配置するのに代えて、光ドロップケーブルの収納部分の中間部位を屈曲（湾曲）させて二重とした状態で巻取り部に巻き取らせるように構成した点である。
【００３２】
図７及び図８に示すように、この実施の形態の余長収納部２４には、光ドロップケーブル１２を巻き取るための巻取り部２５が、設けられている。巻取り部２５は、Ｓ字状の間隙部（溝部）２６ｓを隔てて配置され全体として概略円柱形状とされ円弧状の周縁を有する雲形部２６ａ，２６ｂと、フランジ部２７ａ，２７ｂと、回転軸部２８と、回転運動を制止するためのロックピン２９とを有している。
【００３３】
この実施の形態では、光ドロップケーブル１２は、その余長部分の中間点が、間隙部２６ｓの中間点２６ｔに合わされて、その上流側及び下流側の部位が、間隙部２６ｓに嵌め込まれて雲形部２６ａ，２６ｂに掛けられ、屈曲（湾曲）されて形成された屈曲部が例えば雲形部２６ｂによって保持され、二重とされた状態で、雲形部２６ａ，２６ｂの回転によって、雲形部２６ａ，２６ｂの周縁に沿って巻き取られ配置される。
【００３４】
また、余長収納部２４に引き込まれた光ドロップケーブル１２は、余長収納部２４の所定の側面部において、余長部分の上流側端部及び下流側端部が、それぞれ、固定具３１ａ，３１ｂによって固定される。収納時には、ロックピン２９によって回転が制止されて、固定される。引出し時には、ロックピン２９を抜き取り、雲形部２６ａ，２６ｂを巻取り時と反対向きに回転させながら、光ドロップケーブル１２の余長部分の下流側端部を引っ張る。
【００３５】
この実施の形態の構成によれば、光ドロップケーブル１２は、余長の中間点が、間隙部２６ｓの中間点２６ｔに合わされて、その上流側及び下流側の部位が、間隙部２６ｓに嵌め込まれて雲形部２６ａ，２６ｂに掛けられ、屈曲されて形成された屈曲部が例えば雲形部２６ｂによって保持され、二重とされた状態で、雲形部２６ａ，２６ｂの回転によって、雲形部２６ａ，２６ｂの周縁に沿って巻き取られて、余長収納部２４に収納されるので、雲形部２６ａ，２６ｂを巻取り時と反対向きに回転させながら、収納された光ドロップケーブル１２の下流側端部を、外方に引っ張るのみで、例えば、コイル状の変形等を伴うことなく、巻取りが自然に解けて、光ドロップケーブル１２を、簡単かつ円滑に引き出すことができる。
【００３６】
したがって、誰でも迅速に作業を行い、作業効率を向上させることができる。さらに、例えば、光ドロップケーブルを誤って強く引っ張ってしまい、ねじれた状態（「より」が発生した状態）で光ドロップケーブルに無理な力を加えて、光ドロップケーブルを損傷させることもない。また、美麗に、かつコンパクトに収納することができる。
【００３７】
以上、この発明の実施の形態を図面を参照して詳述してきたが、具体的な構成はこれらの実施の形態に限られるものではなく、この発明の要旨を逸脱しない範囲の設計の変更等があってもこの発明に含まれる。例えば、上述した実施の形態１では、開放時の脱落防止のために、光ドロップケーブル１２を、紐状部材１６ａ，１６ｂ，１６ｃを用いて固定する場合について述べたが、図９に示すように、余長収納部３Ａに案内部３３ａ，３３ｂを設けて、光ドロップケーブル１２を押さえるようにしても良い。
【００３８】
また、図１０に示すように、余長収納部３Ｂの奥部まで光ドロップケーブル１２を引き込んで、奥部で固定具１３ｃで固定し、板状の巻付けバー３５ａ，３５ｂ，３５ｃ，３５ｄの周りに襷掛け状に（８の字状に）巻き付けるようにしても良い。ここで、巻付けバー３５ａ（３５ｂ，３５ｃ，３５ｄ）を、図１０及び図１１に示すように、板状のバー支持部材３６ａ（３６ｂ，３６ｃ，３６ｄ）によって支持するようにしても良い。
【００３９】
なお、図１２に示すように、巻付けバー３５ａ，３５ｂ，３５ｃ，３５ｄも、バー支持部材３６ａ，３６ｂ，３６ｃ，３６ｄも、起立状態と伏臥状態とを取り得るものとする。また、図１３に示すように、余長収納部３Ｃの載置部（底面部）に凹部４１ａ，４１ｂを形成し、巻付けバー３８ａ，３８ｂ，３８ｃ，３８ｄ、及びバー支持部材３９ａ，３９ｂ，３９ｃ，３９ｄを、伏臥状態で収納可能として載置面を平坦化し、光ドロップケーブル１２をさらに引出容易としても良い。
【００４０】
また、実施の形態１で、余長収納部を１段目のみ用いる場合について述べたが、２段目及び３段目の余長収納部４，５も用いるようにしても良い。また、余長収納部は、４つ以上としても良いし、２つ以下としても良い。また、襷掛け状に配置した光ドロップケーブルを、交差箇所（中間箇所）で折り畳んで収納するようにしても良い。また、第１の巻付け部と第２の巻付け部とは、それぞれ、複数設けられても良い。例えば、実施の形態１で、光ドロップケーブルを、巻付けバー１４ｃ，１４ｄの周りに巻き付けた後、周回方向を反時計回りとして、別の巻付けバー対の周りに巻き付けるようにしても良い。また、第１の巻付け部と第２の巻付け部とをそれぞれ単数設けて、光ドロップケーブルを交互に巻き付けるようにしても良い。また、例えば、第１の実施の形態の余長収納部と、第２の実施の形態の余長収納部とが組み合わされても良い。
【産業上の利用可能性】
【００４１】
架空用のほか、地中用にも適用することができる。
【符号の説明】
【００４２】
１  ドロップクロージャ
３，４，５，２４，３Ａ，３Ｂ，３Ｃ  余長収納部（収納容器）
１２  光ドロップケーブル（ケーブル）
１４ａ，１４ｂ  巻付けバー（第２の巻付け部）
１４ｃ，１４ｄ  巻付けバー（第１の巻付け部）
１７  ケーブル収納構造
２５  巻取り部
３５ａ，３５ｂ、３８ａ，３８ｂ  巻付けバー（第１の巻付け部）
３５ｃ，３５ｄ、３８ａ，３８ｂ  巻付けバー（第２の巻付け部）
【図１】
2010256507.tif 000003
【図２】
2010256507.tif 000004
【図３】
2010256507.tif 000005
【図４】
2010256507.tif 000006
【図５】
2010256507.tif 000007
【図６】
2010256507.tif 000008
【図７】
2010256507.tif 000009
【図８】
2010256507.tif 000010
【図９】
2010256507.tif 000011
【図１０】
2010256507.tif 000012
【図１１】
2010256507.tif 000013
【図１２】
2010256507.tif 000014
【図１３】
2010256507.tif 000015